(57)【特許請求の範囲】
【請求項１】
枠体（１）に複数個の回転子（２）が軸（３）により軸支され、枠体（１）の下端には支持片（４）が当接支持され、前記回転子（２）と枠体（１）の下端に当接支持された前記支持片（４）との間に無端印字ベルト（５）が張設されたものを印字体（６）とし、印字体（６）を上下摺動自在として前記印字体（６）の外側に本体（１０）を周設し、前記本体（１０）の下方端には無端印字ベルト（５）を露呈する窓（２２）を穿設した印受（２１）を着脱自在に設け、前記印受（２１）には窓（３５）を有する固定印（１２）を設けて前記印受（２１）の窓（２２）と前記固定印の窓（３５）が無端印字ベルト（５）を露呈するように位置を一致させ、更に前記本体（１０）の上方にはガイド片（１４）を対向立設しておりガイド片（１４）には孔（１６）を設け、前記孔（１６）の下方に回転印軸線に対し円周状にガイド溝（１５Ａ）と回転印軸線に対し平行にガイド溝（１５Ｂ）からなるガイド溝（１５）を設け、前記回転印軸線に対し平行のガイド溝（１５Ｂ）と直角に導入溝（３３）を設けており、上方より前記印字体（６）を覆うように外装体（１１）が装着されており、前記外装体（１１）の内壁面に設けた誘導突起（１７）と前記回転印軸線に対し円周状のガイド溝（１５Ａ）とが外装体（１１）を周方向に回転させることにより係合されて前記外装体（１１）は固定されるように設けられ、前記枠体（１）には枠体（１）の上方部を覆うスライド固定枠（９）が設けられ、更に、スライド固定枠（９）と枠体（１）とは無端印字ベルト（５）の高さ調節機構により連結され、スライド固定枠（９）の外周面には対向する一対の凹部（２９）と着脱溝（３０）を設け、前記凹部（２９）には突起（２３）を設け、前記突起（２３）は孔（１６）の中を上下動に摺動自在として、前記外装体（１１）と前記スライド固定枠（９）により印字体（６）自体を上方に持ち上げ回転子（２）を本体（１０）から露呈し、無端印字ベルト（５）を回転可能としたことを特徴とする回転印。
【請求項２】
スライド固定枠（９）の外周面には、回転印軸線に対し垂直溝（３０Ａ）と平行な平行溝（３０Ｂ）からなる着脱溝（３０）を設けて、組み付け時にスライド固定枠（９）を上方に持ち上げることにより、ガイド片（１４）の周方向に設けた導入溝（３３）とスライド固定枠（９）に設けた前記着脱溝（３０）の垂直溝（３０Ａ）を連通させ、外装体（１１）の誘導突起（１７）を平行溝（３０Ｂ）から垂直溝（３０Ａ）更に前記導入溝（３３）を通り突起（２３）の下方位置に導くと前記回転軸線に対し平行なガイド溝（１５Ｂ）に位置し、前記突起（２３）と前記孔（１６）の下方辺（１６Ａ）が当接している間は前記導入溝（３３）と前記着脱溝（３０）とが連通せずに、前記回転印軸線に対し円周状のガイド溝（１５Ａ）と前記回転軸線に対し平行なガイド溝（１５Ｂ）からなるガイド溝（１５）から誘導突起（１７）が外れることを防止するとともに、外装体（１１）が外れることを防止することを特徴とする請求項１に記載した回転印。
【請求項３】
スライド固定枠（９）の外周面には、回転印軸線に対し垂直溝（３０Ａ）と軸線に対し平行方向の着脱面（４２）を連通させて設けており、組み付け時にスライド固定枠（９）を上方に持ち上げることにより、ガイド片（１４）の周方向に設けた導入溝（３３）とスライド固定枠（９）に設けた垂直溝（３０Ａ）を連通させ、外装体（１１）の誘導突起（１７）を着脱面（４２）から垂直溝（３０Ａ）更に導入溝（３３）を通り突起（２３）の下方位置に導くと前記回転印軸線に対し平行なガイド溝（１５Ｂ）に位置し、前記突起（２３）と前記孔（１６）の下方辺（１６Ａ）が当接している間は導入溝（３３）と着脱溝（３０）とが連通せずに、前記回転印軸線に対し円周状のガイド溝（１５Ａ）と前記回転軸線に対し平行なガイド溝（１５Ｂ）からなるガイド溝（１５）から誘導突起（１７）が外れることを防止するとともに、外装体（１１）が外れることを防止することを特徴とする請求項１に記載した回転印。
【請求項４】
無端印字ベルト（５）の高さ調節機構は、スライド固定枠（９）の天面の中央に孔（３７）を穿設し、スライド固定枠（９）に設けた前記孔（３７）の周りには、回転自在に調節部（８）をスライド固定枠（９）に設けた前記孔（３７）に挿入して支持し、調節部（８）の下方には雌螺子（３９）を設け、更に枠体（１）の上部に中継部材（７）を設け、前記中継部材（７）に雄螺子（４０）を設けて、前記雌螺子（３９）と前記雄螺子（４０）を螺子係合しており、前記調節部（８）を回転させて雌螺子（３９）と雄螺子（４０）の係合量によって無端印字ベルト（５）の下端と固定印（１２）の下端とが同一高さになるようにしたことを特徴とした請求項１及至３のいずれか１つに記載した回転印。
【発明の詳細な説明】
【０００１】
【産業上の利用分野】
本発明は、複数個の無端印字ベルトと、下端に固定印を有する、日付印等に関するものである。
【０００２】
【従来の技術】
この種の発明は、従来より実公昭５９−３８９９号（以下（イ）とする。）実公平３−５６３７２号（以下（ロ）とする。）、実公平２−２５６４８号（以下（ハ）とする。）がある。
（イ）は、軸１５と外套１７に設けた案内孔１６によって上下摺動誘導され、回転子２を把持用頭部７と外套体１７を開放して露呈するものであり、外套体１７と把持用頭部７との係合は、外套体１７の上部に設けられた爪１８によって行なわれるものである。
従って、本発明とは構成を異にしていることは明白である。
（ハ）は、本発明と同様回転ダイヤル印に関するものであり、化粧ケース３と主ケース２を開放して、回転ダイヤル（回転子）９を露呈するには、（イ）と同様化粧ケース３と主ケース２を上下方向に引けばよい。また、逆に係合させるには、明細書中にもある様に、係合溝４６と抜き止め突起４７を設けて係合させている。
【０００３】
特に、（ハ）は、導入溝３１が摺動溝３０の中途から化粧ケース３と主ケース２との組付け始端縁にわたって形成してあり、化粧ケース３と主ケース２の組付けを容易にしている。しかし、こうした導入講３１と摺動溝３０を連通したままにしておくとガイド突起２４が少し軌道がはずれると導入溝３１に入ってしまい、回転子を回転させ様と化粧ケースと主ケースを開放するつど、化粧ケース３と主ケース２がはずれてしまう。
（ロ）は、同様回転ダイヤル印であり、把持筒３と主ケ−ス２の係脱は、ロックリング４１により係脱させるものであり確実に係合出来る。しかし、ロックリング４１を使用することで、部品点数も多くなり、コスト高となり、更には、ロックリング４１を確実に片手で回転させないと係脱出来ないといった不便性がある。なぜなら、ロックリング４１を大きくすることは不可能で、これを大きくすると回転子の露呈と操作がしづらい。
【０００４】
【発明が解決しようとする課題】
以上の様な従来品であるので、捺印動作中は印判を片手で握っており、日付等を変更する場合、ロックリングを確実に片手で握り、把持筒３と主ケ−ス２の下部をにぎらなくてはならず、回転子を露呈させるには、ロックリングが小さい程望ましいが、小さければ握りづらく操作しにくいものとなっている。
従って、ロックリングを使用せず、確実に容易に回転させて外装体と本体を係脱させて、回転子を露呈させること、又印面高さを容易に一致させることを目的とする。また、部品点数を少なく、コストダウンを目的とする。更に、把持筒（化粧ケース）と主ケースを開放する際に前記把持筒（化粧ケース）と前記主ケースが分離せず、把持筒（化粧ケース）の紛失を防止することを目的とする。
【０００５】
【課題を解決するための手段】
枠体１に複数個の回転子２が軸３により軸支され、枠体１の下端には支持片４が当接支持され、前記回転子２と枠体１の下端に当接支持された前記支持片４との間に無端印字ベルト５が張設されたものを印字体６とし、印字体６を上下摺動自在として前記印字体６の外側に本体１０を周設し、前記本体１０の下方端には無端印字ベルト５を露呈する窓２２を穿設した印受２１を着脱自在に設け、前記印受２１には窓３５を有する固定印１２を設けて前記印受２１の窓２２と前記固定印の窓３５が無端印字ベルト５を露呈するように位置を一致させ、更に前記本体１０の上方にはガイド片１４を対向立設しておりガイド片１４には孔１６を設け、前記孔１６の下方に回転印軸線に対し円周状にガイド溝１５Ａと回転印軸線に対し平行にガイド溝１５Ｂからなるガイド溝１５を設け、前記回転印軸線に対し平行のガイド溝１５Ｂと直角に導入溝３３を設けており、上方より前記印字体６を覆うように外装体１１が装着されており、前記外装体１１の内壁面に設けた誘導突起１７と前記回転印軸線に対し円周状のガイド溝１５Ａとが外装体１１を周方向に回転させることにより係合されて前記外装体１１は固定されるように設けられ、前記枠体１には枠体１の上方部を覆うスライド固定枠９が設けられ、更に、スライド固定枠９と枠体１とは無端印字ベルト５の高さ調節機構により連結され、スライド固定枠９の外周面には対向する一対の凹部２９と着脱溝３０を設け、前記凹部２９には突起２３を設け、前記突起２３は孔１６の中を上下動に摺動自在として、前記外装体１１と前記スライド固定枠９により印字体６自体を上方に持ち上げ回転子２を本体１０から露呈し、無端印字ベルト５を回転可能としたことを特徴とする回転印である。
【０００６】
【作用】
キャップ１３の底面にインキパッドを設けており、不使用時には、常に固定印１２と無端印字ベルト５が当接されてインキを供給している。
本発明の回転印を使用するには、キャップ１３と本体１０の凹凸嵌合（クリック嵌合）を、前記キヤップ１３を下方に引っ張ることによって本体１０の下方部と固定印１２を露呈し、更に、前記固定印１２に設けられた窓２２より無端印字ベルト５を露呈している。この状態で捺印物に対して、押圧捺印可能である。
更に、日付等を変更しようとするならば、外装体１１と本体１０をもって回転させる。すると、外装体１１の下方開口端内面に設けられた誘導突起１７は、本体１０の上部に設けられた、円周方向のガイド溝１５Ａに誘導される。
誘導突起１７は、常時は円周方向のガイド溝１５Ａの固定端２０に当接しているが、外装体１１の回転とともに、ガイド片１４の縦方向のガイド溝１５Ｂの下方に位置する。（図１２、図１３）
【０００７】
更に、この状態で回転の反動とともに外装体１１を縦方向に引っ張ることによって、誘導突起１７は、縦方向ガイド溝１５Ｂに誘導され、上方に移動して回転子２を露呈することとなる。
しかし、この状態では一部露呈された回転子２を回転させることは出来ない。
ここでは、固定枠９の外周面に設けられた突起２３は孔１６の下方辺１６Ａに当接されており、無端印字ベルト５の下端面と固定印１２の下面が同一位置になっている。
この状態で無端印字ベルト５が回転すると印字部がつぶれる結果となる。
【０００８】
したがって、固定印枠２１の窓２２と無端印字ベルト５が露呈されているので回転させることは出来ない。
更に、最後まで外装体１１を上方に引き上げるとスライド固定枠９の外周面の凹部２９に設けられた突起２３は、誘導突起１７に当接されて上方に引き上げられ、孔１６の下方辺１６Ａから上方辺１６Ｂに当接するまで移動する。
この時、誘導突起１７は、突起２３と当接して上方に持ち上げる。
そして、突起２３は、上方辺１６Ｂに当接して止まる。この状態は、下から誘導突起１７、突起２３、上方辺１６Ｂと当接して外装体１１の最開口状態としている。（図１４）
【０００９】
この時、スライド固定枠９とともに印字体６全体を上方につり上げることになり固定印枠２１の窓２２より、無端印字ベルト５の下端面を上方に位置させ、前記窓２２からの露呈を解消する。この状態で回転子２を回転させて、日付を変更する。外装体１１を上方に引き上げる時、スライド固定枠９は、下方に位置しており、スライド固定枠９の外周面に設けられた着脱溝３０と導入溝３３は、連通していない。従って外装体１１の下方開口端内面に設けられた誘導突起１７は、導入溝３３には入る可能性があるが、スライド固定枠９の着脱溝３０に入ることはなく突起２３に当接するまで外装体１１と本体１０が外れることはない。
【００１０】
更に、突起２３を誘導突起１７が当接して上方に持上げ、上方辺１６Ｂと突起２３が当接すると、導入溝３３と着脱溝３０が連通するが、既に誘導突起１７は連通した位置になく外装体１１と本体１０が外れることはない。
変更し終わると上記とは逆に作動させ、再び捺印可能な状態にもどる。
この時、スライド固定枠９も下降し、再度導入溝３３と着脱溝３０を塞ぐことになる。そして、キャップ１３の内底に設けられたインキパッド２４に固定印１２と無端印字ベルト５の下端面を当接させて、インキを転写塗布し次の捺印にそなえ捺印可能となる。
【００１１】
【実施例】
本発明の実施例を図１、図２、図３、図４、図５、図６、図７、図８、図９、図１０より詳細に説明する。
１は、コ字状の枠体であり、上部には中継部材７が固定して設けられており、中間部に軸３を支持する支持溝２５を設け、下部には支持片４を保持する切欠２６を設けている。
２は、回転子であり回転子２には、のこ歯状になった作用部３１と無端印字ベルト５が掛けられ張設される無端印字ベルト掛部３２とからなり、回転子２（２Ａ、２Ｂ）と同数の無端印字ベルト５を掛け張設されており、これら数個の回転子２を軸３により回転可能に軸支されており、両側の回転子２Ｂは枠体１の支持溝２５に狭着状態で、前記軸３に支持されている。
【００１２】
４は、支持片であり、枠体１のコ字状の両端に設けられた切欠２６に当接支持され、回転子２との間で無端印字ベルト５を張設している。
６は、印字体であり、上記中継部材７を含む枠体１、軸３、回転子２、支持片４、及び無端印字ベルト５よりなるものである。
８は、調節部であり、有底筒状であり内壁部には雌螺子３９が設けられており、中継部材７の上方の雄螺子４０と螺子係合している。
９は、スライド固定枠であり、筒状体であり天面に孔３７が設けられており、孔３７の回りには溝４１により設けられた支持片３８が設けられ、前記孔３７に貫通した前記調節部８を支持し、更に印字体６の上部に設けられた中継部材７と螺子係合されている。
したがって、調節部８を回動させると螺子係合されている中継部材７との係合量をもって印字体６を上下揺動自在にして、無端印字ベルト５の最下位置の高さを調整している。これにより、固定印１２と無端印字ベルト５の印面位置を同一高さに調整できる。
【００１３】
また、スライド固定枠９の外周面に相対する位置に凹部２９を設け、前記凹部２９の中に突起２３が張設されている。
更に、前記スライド固定枠９の外周面には、回転印の軸線に対し垂直溝３０Ａと平行な平行溝３０Ｂとからなる着脱溝３０が設けられている。
垂直溝３０Ａは、スライド固定枠９の端面より本体１０の導入溝３３の幅以上に位置している。常時は、スライド固定枠９は、最下位置に位置し下方辺１６Ａに突起２３が当接している。前記固定枠９の開口端には、印字体６の枠体１の上部を挿入し本体１０に対し摺動自在にしている。
【００１４】
１０は、筒状の本体であり、上部には一対の相対するガイド片１４が設けられている。前記ガイド片１４には、縦方向（回転印の軸線と平行方向）にガイド溝１５Ｂを設けており、ガイド溝１５Ｂの延長上には孔１６が、更に孔１６には、下方辺１６Ａと上方辺１６Ｂが設けられている。また、ガイド溝１５Ｂの途中より周方向に導入溝３３が連通している。前記本体１０の下方部には固定印１２を有する固定印受２１が、着脱自在に係合する係合部２８が設けられている。また、本体１０の内部には印字体６を配しており、無端印字ベルト５の最下方端の位置を固定印１２と同一印面位置から固定印受２１の窓２２より上方位置まで摺動自在にしている。更に、また本体１０の外周面にはガイド溝１５Ｂの下方端より周状にガイド溝１５Ａが設けられている。更に、ガイド溝１５Ａの下方に表示切欠４４を設け、キャップ１３を着脱自在に係合する突部３４を設けている。
前記孔１６には、スライド固定枠９の突起２３が挿入組付けられ、突起２３は、孔１６内を摺動自在にしている。
【００１５】
この摺動により前記固定印受２１の窓２２より上方位置まで摺動して無端印字ベルト５の印字部分を変えることが可能となる。
１１は、筒状の外装体であり、上方開口端には調節部キャップ２７を嵌着させており下方開口端内面には相対する一対の誘導突起１７を設けている。前記外装体１１は、常時は印字体６の上部を覆っている。誘導突起１７は、前記ガイド溝１５に当接誘導される。また、前記突起２３は孔１６の上方辺１６Ｂと下方辺１６Ａの間を摺動動自在に設けられている。また、下方開口端には、表示突部４５が設けられており、表示切欠４４の端面と当接することによって外装体１１の本体１０との係脱を示すものである。
【００１６】
１３は、有底筒状のキャップであり底には、インキを含浸したインキパッド２４を設けており、本体１０の外周面に設けられた係合する突部３４に着脱自在に係合する。また前記インキパッド２４は弾発部材により弾発支持されていてもよい。前記インキパッド２４は、固定印１２と無端印字ベルト５の最下端をキャップ１３を装着時に当接しておりインキの転写をおこなっている。
次に本発明の回転印を使用する。
常時、キャップ１３の底面に設けられたインキパッド２４を設けており、不使用時には、常に固定印１２と無端印字ベルト５が当接されてインキを供給している。
【００１７】
次に、本発明の回転印を組み付けるには、枠体１の下部に支持片４を保持させ、無端印字ベルト５を掛けた、回転子２を数組、軸３に回転自在に支持させ、前記軸３を前記枠体の中間部に設けられた支持溝２５に保持させ、前記支持片４とで、無端印字ベルト５を張設支持している。スライド固定枠９の天面の孔に調節部８を固定自在に保持する。
そして、調節部８の雌螺子３９と中断部材７の雄螺子４０が螺子係合している。
次に、本体１０には、係合部２８に固定印１２を設けた固定印受２１を着脱自在に嵌着している。この本体１０の中に先程のスライド固定枠９と調節部８を組付けた印字体６を配置し、本体１０のガイド片１４に設けられた孔１６にスライド固定枠９の凹部２９に設けられた突起２３を孔１６中に摺動自在に支持する。
【００１８】
更に、外装体１１を印字体６の上方より覆いかぶせる。
この時、図１１により説明すると、誘導突起１７は着脱溝３０の平行溝３０Ｂに導かれ、垂直溝３０Ａに、さらに、ガイド片１４に設けられた導入溝３３に導かれる、そして、スライド固定枠９の下端面を上方に持ち上げ、突起２３を上方辺１６Ｂ近くに移動させ、外装体１１を回転させ、誘導突起１７をガイド溝１５Ｂに導く。
前記ガイド溝１５Ｂの下方に外装体１を押し下げ前記誘導突起１７を移動させ、更に、本体１０の周方向に設けられたガイド溝１５Ａに、前記誘導突起１７を移動させ、固定端２０近くのガイド溝１５Ａは、浅くなっているので誘導突起１７を外側に押圧し、外装体１１を固定させるとともに固定印受２１に設けられた、固定印１２の窓３５から露呈された無端印字ベルト５の最下方端の位置と固定印１２と同一印面位置にすることが出来、捺印可能とする。
最後に、外装体１１の上方より調節部キャップ２７を着脱自在に嵌合させ、下方よりキャップ１３を着脱自在に嵌合して、組付けられる。
【００１９】
本発明の回転印を使用するには、キャップ１３と本体１０の凹凸嵌合（クリック嵌合）を、前記キヤップ１３を下方に引っ張ると本体１０の下方部と固定印１２を露呈し、前記固定印１２に設けられた窓３５より無端印字ベルト５を露呈している。この状態で捺印物に対して、押圧捺印可能である。
更に、日付等を変更しようとするならば、外装体１１と本体１０をもって左右どちらかに回転させる。すると、外装体１１の下方内壁面に設けられた誘導突起１７は、固定端２０近くのガイド溝１５Ａの浅いところから出て本体１０の外周面に設けられた円周方向のガイド溝１５Ａに誘導される。
更に、誘導突起１７は、外装体１１の回転とともに、ガイド片１４の縦方向ガイド溝１５Ｂの下方に位置する。
固定端２０に当接している状態は、外装体１１が本体１０に係合している状態である。
【００２０】
更に、この状態で外装体１１を縦方向に引き上げると、誘導突起１７は、縦方向ガイド溝１５Ｂに誘導され、上方に移動して回転子２を露呈することとなる。
しかし、この状態では露呈された回転子２を回転させることは出来ない。
この状態では、固定枠９の外周面に設けられた突起２３は孔１６の下方辺１６Ａに当接されており、無端印字ベルト５の最下端と固定印１２の下面が同一位置になっている。
したがって、固定印受２１の窓２２より無端印字ベルト５が露呈されているので回転させることは出来ない。
更に、最後まで外装体１１を上方に引き上げると固定枠９の外周面に設けられた突起２３は、誘導突起１７に当接して、上方に引き上げられ、孔１６の上方辺１６Ｂに当接するまで移動する。
この時、導入溝３３に誘導突起１７が導入したとしても、垂直溝３０Ａが上方に位置し、導入溝３３と垂直溝３０Ａは連通しておらず、誘導突起１７は垂直溝３０Ａに誘導されない。
【００２１】
この時、印字体６全体を上方につり上げることになり固定印受２１の窓２２より、無端印字ベルト５の下端面を上方に位置させ、前記窓２２・３５からの露呈を解消する。この状態で回転子２を回転させて、日付を変更する。変更し終わると上記とは逆に作動させ、再び捺印可能な状態にもどる。
更に又、無端印字ベルト５の最下端印面位置と固定印１２の印面位置と同一にするには、調節部キャップ２７と外装体１１の上部とのクリック嵌合を解除する。
すると、調節部８は露呈され、回転させると中継部材７と螺子係合しているので係合量の多少で印字体６を上下に揺動自在にしている。
そして、キャップ１３の内底に設けられたインキパッド２４に固定印１２と無端印字ベルト５の下端面を当接させて、インキを転写塗布し捺印可能となる。
【００２２】
スライド固定枠９の第２の実施例は、スライド固定枠９の外周面には、軸線に対し着脱面４２と垂直溝３０Ａとからなる着脱部が設けられている。着脱面４２は、スライド固定枠９の端面より設けられており、垂直溝３０Ａと連通している。したがって、スライド固定枠９を手等で上方に持ち上げながら、外装体１１の開口端内面に設けられた誘導突起１７を着脱面４２によって導き、更に、垂直溝３０Ａにより導き、ガイド溝１５Ｂに導く。こうして、外装体１１を組み付けることができる。
また、スライド固定枠９の他実施例として、下方開口端に持上部４３を設けてもよく、スライド固定枠９を上方に上げやすくする方法は問わない。
【００２３】
【効果】
以上の様な構成であるので、ロックリングを使用せず、確実に容易に回転させて外装体１１と本体１０とを係脱させて、回転子２を露呈させることができる。
また、こうすることによって部品点数、コストダウンを可能とする。
更に、外装体１１を開けて、回転子２を回動する際、スライド固定枠９を設けたことにより、外装体１１と本体１０の係合がはずれることがない。
【図面の簡単な説明】
【図１】    本発明の実施例の断面図
【図２】    本発明の実施例の回転子２を露呈した断面図
【図３】    本発明の実施例の一部部品の斜視図
【図４】    本発明の実施例の第１のスライド固定枠９の平面図
【図５】    本発明の実施例の第１のスライド固定枠９の側面図
【図６】    本発明の実施例の第２のスライド固定枠９の平面図
【図７】    本発明の実施例の第２のスライド固定枠９の側面図
【図８】    本発明の実施例のその他のスライド固定枠９の斜視図
【図９】    本発明の実施例の調節部８の平面図
【図１０】    本発明の実施例の本体１０の斜視図
【図１１】    本発明の実施例の外装体１１とスライド固定枠９、本体１０の組み付け説明図    （破線は、ガイド溝１５Ａに誘導突起１７が導かれたところ。）
【図１２】    本発明の実施例の外装体１１と本体１０の係合状態の説明図
【図１３】    本発明の実施例の外装体１１と本体１０の解除状態の説明図
【図１４】    本発明の実施例のスライド固定枠９を最上位置に上げた状態の説明図
【符号の説明】
１：枠体
２：回転子
３：軸
４：支持片
５：無端印字ベルト
６：印字体
７：中継部材
８：調節部
９：スライド固定枠
１０：本体
１１：外装体
１２：固定印
１３：キャップ
１４：ガイド片
１５：ガイド溝
１５Ａ：ガイド溝
１５Ｂ：ガイド溝
１６：孔
１６Ａ：下方辺
１６Ｂ：上方辺
１７：誘導突起
２０：固定端
２２：窓
２３：突起
２４：インキパッド
２５：支持溝
２６：切欠
２７：調節部キャップ
２８：係合部
２９：凹部
３０：着脱溝
３０Ａ：垂直溝
３０Ｂ：平行溝
３１：作用部
３２：無端印字ベルト掛部
３３：導入溝
３４：突部
３５：窓
３７：孔
３８：支持片
３９：雌螺子
４０：雄螺子
４１：溝
４２：着脱面
４３：持上部
４４：表示切欠
４５：表示突部
【図１】
0003691561.tif 000002
【図２】
0003691561.tif 000003
【図３】
0003691561.tif 000004
【図４】
0003691561.tif 000005
【図５】
0003691561.tif 000006
【図６】
0003691561.tif 000007
【図７】
0003691561.tif 000008
【図８】
0003691561.tif 000009
【図９】
0003691561.tif 000010
【図１０】
0003691561.tif 000011
【図１１】
0003691561.tif 000012
【図１２】
0003691561.tif 000013
【図１３】
0003691561.tif 000014
【図１４】
0003691561.tif 000015